(57)【要約】【課題】装置の形態に拘わらず温度に基づく制御を高精度に行うことが可能な情報端末装置を提供する。【解決手段】情報端末装置１は、装置内部に配置された温度センサ２４、３２と、温度に基づく所定の制御を実行する制御部１０１と、温度センサ２４、３２によって検出される温度の変動要因となる装置本体の形態を検出するための形態検出部（着脱検出部１０６、設置検出部１０７）と、温度センサ２４、３２の検出温度に生じる形態間の変動を、制御において抑制するための調整情報を、情報端末装置１の形態ごとに記憶した記憶部１０２と、を備える。制御部１０１は、温度センサ２４、３２によって検出された温度と、形態検出部（着脱検出部１０６、設置検出部１０７）により検出された形態に対応する調整情報とに基づいて、温度に基づく制御を実行する。【選択図】図６
2019003373.tif 000002
【特許請求の範囲】
【請求項１】
装置内部の所定位置に配置された温度センサと、
温度に基づく所定の制御を実行する制御部と、
前記温度センサによって検出される温度の変動要因となる装置本体の形態を検出するための形態検出部と、
前記温度センサの検出温度に生じる前記形態間の変動を、前記制御において抑制するための調整情報を、前記形態ごとに記憶した記憶部と、を備え、
前記制御部は、前記温度センサによって検出された前記温度と、前記形態検出部により検出された前記形態に対応する前記調整情報とに基づいて、前記制御を実行する、
ことを特徴とする情報端末装置。
【請求項２】
請求項１に記載の情報端末装置において、
前記制御部は、前記制御において、前記温度センサによって検出された温度を所定の閾値と比較する処理を実行し、前記閾値を、前記形態検出部により検出された前記形態に対応する前記調整情報に基づいて設定する、
ことを特徴とする情報端末装置。
【請求項３】
請求項１に記載の情報端末装置において、
前記制御部は、前記温度センサによって検出された温度を、前記形態検出部により検出された前記形態に対応する前記調整情報に基づいて補正し、補正後の前記温度に基づいて、前記制御を実行する、
ことを特徴とする情報端末装置。
【請求項４】
請求項１ないし３の何れか一項に記載の情報端末装置において、
前記制御部は、前記温度センサによって検出された温度と、前記形態検出部により検出された前記形態に対応する前記調整情報とに基づいて、温度異常によりシステム動作を停止させる制御を実行する、
ことを特徴とする情報端末装置。
【請求項５】
請求項１ないし４の何れか一項に記載の情報端末装置において、
前記形態検出部は、前記温度センサによって検出される前記温度の変動要因となる前記装置本体の形態として、前記装置本体の設置形態を検出し、
前記記憶部は、前記調整情報を、前記設置形態ごとに記憶し、
前記制御部は、前記温度センサによって検出された前記温度と、前記形態検出部により検出された前記設置形態に対応する前記調整情報とに基づいて、前記制御を実行する、
ことを特徴とする情報端末装置。
【請求項６】
請求項１ないし５の何れか一項に記載の情報端末装置において、
電源を供給するためのバッテリーを備え、
前記温度センサは、前記バッテリーの設置位置付近に配置され、
前記制御部は、前記温度センサによって検出された温度と、前記形態検出部により検出された前記形態に対応する前記調整情報とに基づいて、前記バッテリーに対する充電および放電の制御を実行する、
ことを特徴とする情報端末装置。
【請求項７】
請求項１ないし５の何れか一項に記載の情報端末装置において、
電源を供給するための着脱可能なバッテリーを備え、
前記形態検出部は、前記温度センサによって検出される前記温度の変動要因となる前記装置本体の形態として、前記装置本体に対する前記バッテリーの装着の有無を検出し、
前記記憶部は、前記調整情報を、前記バッテリーの装着の有無ごとに記憶し、
前記制御部は、前記温度センサによって検出された前記温度と、前記形態検出部により検出された前記バッテリーの装着の有無に対応する前記調整情報とに基づいて、前記制御を実行する、
ことを特徴とする情報端末装置。
【請求項８】
請求項７に記載の情報端末装置において、
前記温度センサは、前記バッテリー以外の位置に配置され、
前記制御部は、前記温度センサによって検出された温度と、前記形態検出部により検出された前記バッテリーの装着の有無に対応する前記調整情報とに基づいて、前記バッテリーの制御以外の制御を実行する、
ことを特徴とする情報端末装置。
【発明の詳細な説明】
【技術分野】
【０００１】
本発明は、種々の形態で使用可能な情報端末装置に関する。
【背景技術】
【０００２】
タブレット端末等の情報端末装置では、装置内部の温度に基づいて種々の制御が実行され得る。たとえば、装置内部の温度が所定の閾値を超えて高温となった場合に、内部温度が異常であるとして、システムの動作を停止させる制御がなれされ得る。以下の特許文献１には、周囲温度に応じて電池の検出電圧を補正することが記載されている。
【先行技術文献】
【特許文献】
【０００３】
【特許文献１】特開平１０−２８９０３７号公報
【発明の概要】
【発明が解決しようとする課題】
【０００４】
上記のような構成の情報端末装置では、温度に応じた制御を実行するために、装置内部の所定位置に温度センサが配置される。しかし、携帯型の情報端末装置では、装置を立てた状態や、装置を寝かせた状態等、種々の設置形態で装置が使用され得る。また、バッテリーが着脱可能である場合、バッテリーを取り外した形態で情報端末装置が使用されることもある。このように、装置の形態が変わると、装置内部における空気の流れ等が変化し、温度センサ周囲の温度に変動が生じ得る。このため、全ての形態に対して精度良く温度による制御を行うことが困難となる。
【０００５】
かかる課題に鑑み、本発明は、装置の形態に拘わらず温度に基づく制御を高精度に行うことが可能な情報端末装置を提供することを目的とする。
【課題を解決するための手段】
【０００６】
本発明の主たる態様に係る情報端末装置は、装置内部の所定位置に配置された温度センサと、温度に基づく所定の制御を実行する制御部と、前記温度センサによって検出される温度の変動要因となる装置本体の形態を検出するための形態検出部と、前記温度センサの検出温度に生じる前記形態間の変動を、前記制御において抑制するための調整情報を、前記形態ごとに記憶した記憶部と、を備える。ここで、前記制御部は、前記温度センサによって検出された前記温度と、前記形態検出部により検出された前記形態に対応する前記調整情報とに基づいて、前記制御を実行する。
【０００７】
本態様に係る情報端末装置によれば、装置本体の形態に対応する調整情報を用いて、温度に基づく制御が行われるため、装置本体の形態間で温度センサの検出温度が変動する場合も、制御を精度良くに行うことができる。よって、装置の形態に拘わらず温度に基づく制御を高精度に行うことができる。
【０００８】
本態様に係る情報端末装置において、たとえば、前記制御部は、前記制御において、前記温度センサによって検出された温度を所定の閾値と比較する処理を実行するよう構成され得る。この場合、前記制御部は、前記閾値を、前記形態検出部により検出された前記形態に対応する前記調整情報に基づいて設定するよう構成され得る。こうすると、随時検出された温度を補正する必要がないため、制御の処理を簡素化できる。なお、この場合、調整情報は、各形態において適用される閾値そのものであってもよく、あるいは、基準の閾値を形態に応じて補正するための補正値（たとえば、基準の閾値に乗する係数）であってもよい。
【０００９】
また、本態様に係る情報端末装置において、前記制御部は、前記温度センサによって検出された温度を、前記形態検出部により検出された前記形態に対応する前記調整情報に基づいて補正し、補正後の前記温度に基づいて、前記制御を実行するよう構成され得る。この場合、調整情報は、たとえば、各形態において、温度センサによる検出温度を補正するための補正関数や補正テーブルとされ得る。
【００１０】
本態様に係る情報端末装置において、前記制御部は、前記温度センサによって検出された温度と、前記形態検出部により検出された前記形態に対応する前記調整情報とに基づいて、温度異常によりシステム動作を停止させる制御を実行するよう構成され得る。こうすると、温度異常に基づくシステム動作の停止を、装置の形態に拘わらず適切かつ精度良く行うことができる。
【００１１】
本態様に係る情報端末装置において、前記形態検出部は、前記温度センサによって検出される前記温度の変動要因となる前記装置本体の形態として、前記装置本体の設置形態を検出し、前記記憶部は、前記調整情報を、前記設置形態ごとに記憶し、前記制御部は、前記温度センサによって検出された前記温度と、前記形態検出部により検出された前記設置形態に対応する前記調整情報とに基づいて、前記制御を実行するよう構成され得る。この構成によれば、装置本体の設置形態間で温度センサの検出温度が変動する場合も、温度に基づく制御を精度良くに行うことができる。よって、装置の形態に拘わらず温度による制御を高精度に行うことができる。
【００１２】
本態様に係る情報端末装置は、電源を供給するためのバッテリーを備え得る。この場合、前記温度センサは、前記バッテリーの設置位置付近に配置され、前記制御部は、前記温度センサによって検出された温度と、前記形態検出部により検出された前記形態に対応する前記調整情報とに基づいて、前記バッテリーに対する充電および放電の制御を実行するよう構成され得る。こうすると、バッテリーの温度に基づく充電および放電の制御を、装置の設置形態に拘わらず適切かつ精度良く行うことができる。
【００１３】
また、本態様に係る情報端末装置において、バッテリーが着脱可能である場合、前記形態検出部は、前記温度センサによって検出される前記温度の変動要因となる前記装置本体の形態として、前記装置本体に対する前記バッテリーの装着の有無を検出し、前記記憶部は、前記調整情報を、前記バッテリーの装着の有無ごとに記憶し、前記制御部は、前記温度センサによって検出された前記温度と、前記形態検出部により検出された前記バッテリーの装着の有無に対応する前記調整情報とに基づいて、前記制御を実行するよう構成され得る。このようにバッテリーが着脱可能である場合、装置本体の容積に占めるバッテリーの容積は大きいため、バッテリーが装置本体から取り外されると、装置本体内部における空気の対流や熱容量および熱伝導等が大きく変化する。このため、バッテリーが装着状態にあるときと未装着状態にあるときとで、温度センサの検出温度に大きな変動が生じ得る。したがって、上記のように、バッテリーの装着の有無ごとに調整情報を準備し、この調整情報に基づいて、温度による制御を実行することにより、バッテリーの装着の有無に拘わらず、温度に基づく制御を適切かつ高精度に行うことができる。
【００１４】
この場合、前記温度センサは、前記バッテリー以外の位置に配置され、前記制御部は、前記温度センサによって検出された温度と、前記形態検出部により検出された前記バッテリーの装着の有無に対応する前記調整情報とに基づいて、前記バッテリーの制御以外の制御を実行するよう構成され得る。こうすると、バッテリーの制御以外の温度に基づく制御を適切に行うことができる。
【発明の効果】
【００１５】
以上のとおり、本発明によれば、装置の形態に拘わらず温度に基づく制御を高精度に行うことが可能な情報端末装置を提供できる。
【００１６】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１７】
【図１】図１は、実施形態に係る情報端末装置の構成を示す斜視図である。
【図２】図２（ａ）、（ｂ）は、それぞれ、実施形態に係る情報端末装置の構成を示す正面図および背面図である。
【図３】図３（ａ）は、実施形態に係る蓋を取り外した状態の情報端末装置を背面側から見た図である。図３（ｂ）は、実施形態に係る情報端末装置に装着されるバッテリーの構成を模式的に示す図である。
【図４】図４は、実施形態に係る情報端末装置を側方から透視したときの内部の構成を模式的に示す図である。
【図５】図５（ａ）、（ｂ）は、実施形態に係る情報端末装置の設置形態を示す側面図である。
【図６】図６は、実施形態に係る情報端末装置の構成を示すブロック図である。
【図７】図７（ａ）、（ｂ）は、実施形態に係る情報端末装置の各設置形態における気流の流れを模式的に示す図である。
【図８】図８（ａ）は、実施形態に係る、バッテリーの充放電以外の制御において、調整情報および温度センサを特定する規則を表したテーブルである。図８（ｂ）は、実施形態に係る、バッテリーの充放電制御において、調整情報を特定する規則を表したテーブルである。図８（ｃ）は、実施形態に係る調整情報の具体的内容を示す図である。
【図９】図９は、実施形態に係る充電制御を示すフローチャートである。
【図１０】図１０は、実施形態に係る放電制御を示すフローチャートである。
【図１１】図１１は、実施形態に係る異常温度監視制御を示すフローチャートである。
【図１２】図１２（ａ）、（ｂ）は、それぞれ、変更例に係る調整情報の具体的構成を示す図である。
【発明を実施するための形態】
【００１８】
以下に示す実施形態は、カラオケ装置の入力端末として用いる情報端末装置に本発明を適用したものである。なお、本発明は、カラオケ装置の入力端末以外の種々の情報端末装置にも適用可能である。
【００１９】
以下、図面を参照して、本発明の実施形態について説明する。各図には、適宜、互いに直交するＸＹＺ軸が示されている。Ｘ軸正方向およびＹ軸正方向は、それぞれ、情報端末装置の右方向および上方向であり、Ｚ軸正方向は、情報端末装置の奥行き方向である。
【００２０】
図１は、情報端末装置１の構成を示す斜視図、図２（ａ）、（ｂ）は、それぞれ、情報端末装置１の構成を示す正面図および背面図である。
【００２１】
図１および図２（ａ）、（ｂ）に示すように、情報端末装置１は、装置本体を構成する筐体１１と、一対の脚部１２と、表示入力部１３と、インジケータ１４と、バッテリー収容部１５と、蓋１６と、を備えている。
【００２２】
筐体１１は、角が丸められた直方体の形状を有する。筐体１１の背面下部に一対の脚部１２が設けられている。一対の脚部１２は、それぞれ、Ｙ−Ｚ平面に平行な平面で切断した断面が三角形の角を丸めた形状となっている。一対の脚部１２は、所定の間隔でＸ軸方向に並ぶように配置されている。情報端末装置１は、一対の脚部１２のＹ軸負側の側面をそれぞれ設置面に接触されることにより、立てた状態で設置され得る。図１には、このときの設置形態が示されている。
【００２３】
筐体１１の前面に、表示入力部１３が設けられている。後述のように、表示入力部１３は、液晶パネル１３ａの上面に透明なタッチパッド１３ｂを重ねて構成されている。タッチパッド１３ｂは、たとえば静電容量式のタッチパッドである。ユーザは、指等で表示入力部１３に触れることにより、表示入力部１３に表示されたアイコン等に対する選択入力を行うことができる。
【００２４】
さらに、筐体１１の前面上部にインジケータ１４が設けられている。インジケータ１４は、バッテリーの充電状態および装置の異常を表示するためのものである。たとえば、バッテリーが満充電状態にある場合、インジケータ１４は緑色で点灯し、バッテリーが充電中の場合、インジケータ１４はオレンジ色で点滅する。また、システムが異常を検知した場合、インジケータ１４は赤色で点滅し、バッテリーが未装着状態にある場合、および、電源がＯＦＦである場合、インジケータ１４は点灯しない。
【００２５】
バッテリー収容部１５は、後述するバッテリー２０を収容するためのものである。バッテリー収容部１５は、バッテリー２０を収容可能な凹部となっている。バッテリー収容部１５は、取り外し可能な蓋１６によって閉塞される。
【００２６】
この他、筐体１１の下面には、アダプタにより電源を供給するためのコネクタ（図示せず）が設けられている。商用電源に接続されたアダプタのプラグをこのコネクタに差し込むことにより、情報端末装置１に電源が供給される。さらに、筐体１１の下面には、情報端末装置１を充電台に設置することにより、充電台のコネクタと接続されるコネクタが設けられている。商用電源に接続された充電台に情報端末装置１を設置することにより、バッテリー２０に対する充電動作が行われる。アダプタにより商用電源が供給された状態においても、バッテリー２０に対する充電が可能である。
【００２７】
図３（ａ）は、蓋１６を取り外した状態の情報端末装置１を背面側から見た図である。図３（ａ）には、バッテリー収容部１５に収容されたバッテリー２０とともに、筐体１１の内部に配置された回路基板３０が一点鎖線で示されている。
【００２８】
図３（ａ）に示すように、回路基板３０は、Ｙ軸負側の一部がバッテリー収容部１５の領域に掛かっている。回路基板３０のこの部分に、後述するバッテリー２０のコネクタ２３と接続されるコネクタ３１が配置されている。バッテリー２０をバッテリー収容部１５に装着することにより、バッテリー２０のコネクタ２３と、回路基板３０のコネクタ３１とが電気的に接続される。
【００２９】
図３（ｂ）は、バッテリー２０の構成を模式的に示す図である。図３（ｂ）には、バッテリー本体を構成する筐体のＺ軸正側の面を取り除いた状態が示されている。
【００３０】
バッテリー２０は、充電可能な４つの電池セル２１と、これら電池セル２１に電気的に接続された回路基板２２と、を備えている。回路基板２２には、上述のコネクタ２３が設置されている。さらに、回路基板２２には、保護回路等とともに、バッテリー２０の温度を検出するための温度センサ２４が配置されている。
【００３１】
なお、図３（ａ）に示すように、回路基板３０にも温度センサ３２が配置されている。情報端末装置１からバッテリー２０が取り外された状態では、この温度センサ３２を用いて、温度に基づく制御が行われる。温度に基づく制御については、追って、図９〜図１１を参照して説明する。
【００３２】
図４は、バッテリー２０が装着された状態の情報端末装置１を側方から透視したときの内部の構成を模式的に示す図である。
【００３３】
図４に示すように、筐体１１の前面に、タッチ入力を検出するための透明なタッチパッド１３ｂが配置され、その背面側に、選曲画面等を表示するための液晶パネル１３ａが配置される。液晶パネル１３ａの前面にタッチパッド１３ｂを重ねることにより、図１に示した表示入力部１３が構成される。さらに、液晶パネル１３ａの背面側に回路基板３０が配置され、その背面側にバッテリー２０が配置される。
【００３４】
上記のように、温度センサ２４は、バッテリー２０のＹ軸正側の端部付近に配置された回路基板２２に設置されている。このため、情報端末装置１にバッテリー２０が装着された状態において、温度センサ２４は、バッテリー２０と回路基板３０とが重なり合う位置付近に配置される。このように、温度センサ２４は、バッテリー２０の回路基板３０側の位置に配置されるため、回路基板３０に設置された回路部から熱の影響を受けやすい。このため、回路基板３０に配置される回路部のうち熱源となり得る回路部は、なるべく温度センサ２４から離れた位置に配置されることが好ましい。
【００３５】
図５（ａ）、（ｂ）は、情報端末装置１の設置形態を示す側面図である。
【００３６】
情報端末装置１は、図５（ａ）に示す縦設置と図５（ｂ）に示す横設置の２つの設置形態で、設置面Ｓ１０に設置することが可能である。図５（ａ）の縦設置は、図１の設置形態と同じであり、一対の脚部１２のＹ軸負側の側面を設置面Ｓ１０に接触させる設置形態である。図５（ｂ）の横設置は、一対の脚部１２の頂部と、筐体１１背面のＹ軸正側の端部とを設置面Ｓ１０に当接させる設置形態である。ユーザは、縦設置および横設置の何れの設置形態によっても、表示入力部１３に対して円滑にタッチ入力を行うことができる。
【００３７】
図６は、情報端末装置１の構成を示すブロック図である。なお、図６の構成において、着脱検出部１０６および設置検出部１０７が、特許請求の範囲に記載の「形態検出部」に対応する。
【００３８】
図６に示すように、情報端末装置１は、上述の液晶パネル１３ａ、タッチパッド１３ｂ、バッテリー２０、温度センサ２４、３２の他に、制御部１０１と、記憶部１０２と、通信部１０３と、電源供給部１０４と、充放電制御部１０５と、着脱検出部１０６と、設置検出部１０７と、を備えている。
【００３９】
制御部１０１は、ＣＰＵ（Central Processing Unit）等の演算処理回路を備え、記憶部１０２に記憶されたプログラムに従って各部を制御する。制御部１０１は、温度センサ２４、３２により検出された温度に基づいて、後述の温度に基づく制御を実行する。また、制御部１０１は、経過時間等を取得するための時計を備えている。
【００４０】
記憶部１０２は、ＲＯＭ（Read Only Memory）やＲＡＭ（Random Access Memory）等の記憶媒体を備え、各部を制御するための上記プログラムを記憶している。さらに、記憶部１０２は、後述の調整情報テーブル（図８（ｃ）参照）等、温度に基づく制御を実行するために必要な情報を記憶している。
【００４１】
通信部１０３は、制御部１０１による制御により、カラオケ装置本体との間で通信を行う。通信部１０３における通信方式は、無線であっても、有線であってもよい。
【００４２】
電源供給部１０４は、バッテリー２０に蓄積された電力または外部電源（商用電源）からの電力を、液晶パネル１３ａやタッチパッド１３ｂおよび回路基板３０上の各回路部に供給する。また、電源供給部１０４は、バッテリー２０に対する充電動作の際に、外部電源からの電力を充放電制御部１０５に供給する。情報端末装置１が充電台にセットされた場合、充電台を介して電源供給部１０４に供給された電力が充放電制御部１０５に供給される。情報端末装置１が充電台にセットされていない状態において、情報端末装置１に電源供給用のアダプタが接続された場合、アダプタを介して電源供給部１０４に供給された電力が充放電制御部１０５に供給される。
【００４３】
充放電制御部１０５は、制御部１０１からの制御に応じて、バッテリー２０に対する充電および放電の制御を行う。充電制御において、充放電制御部１０５は、電源供給部１０４から供給される電力を用いてバッテリー２０の充電を行う。また、放電制御において、充放電制御部１０５は、バッテリー２０に蓄積された電力を電源供給部１０４に供給する。充放電制御部１０５によって行われる充電制御および放電制御については、追って、図９および図１０を参照して説明する。
【００４４】
着脱検出部１０６は、情報端末装置１に対するバッテリー２０の着脱を検出する。着脱検出部１０６は、たとえば、回路基板３０側のコネクタ３１とバッテリー２０側のコネクタ２３とが電気的に接続されているか否かによって、バッテリー２０の着脱を検出する。この他、バッテリー収容部１５に対するバッテリー２０の着脱に応じてＯＮ／ＯＦＦの状態が切り替わるスイッチをバッテリー収容部１５に配置してもよい。この場合、着脱検出部１０６は、このスイッチの状態に基づいて、情報端末装置１に対するバッテリー２０の着脱を検出する。
【００４５】
設置検出部１０７は、情報端末装置１が、縦設置と横設置の何れの設置形態で設置されているかを検出する。設置検出部１０７は、加速度センサやジャイロセンサ等のセンサを用いて、所定の基準位置（たとえば、情報端末装置１の前面が水平面に平行である位置）に対する情報端末装置１の傾き角を取得する。設置検出部１０７は、取得した傾き角が、縦設置と横設置の何れの傾き角の範囲に含まれるかによって、情報端末装置１の設置形態を検出する。なお、情報端末装置１が充電台にセットされた場合、情報端末装置１の設置形態は、縦設置となる。
【００４６】
なお、縦設置と横設置のそれぞれの設置形態において動作するスイッチ（メカニカルスイッチやフォトカプラ、等）を筐体１１や脚部１２に設けてもよい。この場合、設置検出部１０７は、このスイッチの状態に基づいて、情報端末装置１の設置形態を検出する。
【００４７】
ところで、上記のように情報端末装置１が縦設置と横設置の２つの設置形態で利用可能である場合、各設置形態において、装置内部の気流の流れが変化し、温度センサ２４の周囲の温度に変動が生じることが起こり得る。
【００４８】
図７（ａ）、（ｂ）は、情報端末装置１の各設置形態における気流の流れを模式的に示す図である。図７（ａ）、（ｂ）には、Ｘ軸正側から情報端末装置１を透視した状態が模式的に示されている。また、図７（ａ）、（ｂ）には、破線の矢印で空気の流れが示されている。
【００４９】
本実施形態では、図６に示した各構成のうち電源供給部１０４が熱源となり得る。このため、バッテリー２０に配置された温度センサ２４への熱的な影響を抑制するために、電源供給部１０４は、図７（ａ）、（ｂ）に示すように、温度センサ２４からなるべく離間した位置に配置される。
【００５０】
ここで、図７（ａ）に示す縦設置では、筐体１１内で暖められた空気の上昇に伴い、筐体１１のＹ軸負側の隙間や通気孔から空気が筐体１１内に侵入し、侵入した空気は、バッテリー２０と回路基板３０を通って、筐体１１のＹ軸正側の隙間や通気孔から送り出される。この場合、温度センサ２４付近を通過する空気は、未だ熱源である電源供給部１０４を通っていないため、筐体１１への侵入時から大きく温度が高まることがない。
【００５１】
これに対し、図７（ｂ）に示す横設置では、筐体１１のＹ軸正側の隙間や通気孔から空気が筐体１１内に侵入し、侵入した空気は、回路基板３０とバッテリー２０を通って、筐体１１のＹ軸負側の隙間や通気孔から送り出される。この場合、温度センサ２４付近を通過する空気は、既に熱源である電源供給部１０４を通っているため、筐体１１への侵入時から大きく温度が高まっている。
【００５２】
このように、図７（ａ）に示す縦設置と図７（ｂ）に示す横設置とでは、温度センサ２４付近を通る空気の温度が大きく異なる。このため、これら２つの設置形態間において、温度センサ２４の周囲の温度に差が生じ、この差によって、温度センサ２４の検出温度に変動が生じてしまう。
【００５３】
したがって、制御部１０１が実行する温度に基づく制御が、何れか一方の設置形態に対応するようにプログラムされていると、他方の設置形態で情報端末装置１が設置された場合に、温度に基づく制御を精度良く行い得なくなってしまう。
【００５４】
そこで、本実施形態では、温度センサ２４の検出温度に生じる設置形態間の変動を、制御部１０１における制御において抑制するための調整情報が、設置形態ごとに、記憶部１０２に記憶されている。そして、制御部１０１は、温度センサ２４によって検出された温度と、設置検出部１０７により検出された設置形態に対応する調整情報とに基づいて、温度に基づく制御を実行する。
【００５５】
なお、筐体１１内部の容積に占めるバッテリー２０の容積は大きいため、バッテリー２０が装着されているか否かによって、筐体１１内部における気流の流れや、筐体１１内部の熱容量および熱伝導が大きく変わり得る。このため、図３（ａ）に示した回路基板３０側の温度センサ３２の検出温度は、バッテリー２０の装着の有無によっても変動し得る。
【００５６】
そこで、本実施形態では、バッテリー２０の装着の有無によって温度センサ３２の検出温度に生じる変動を、制御部１０１における制御において抑制するための調整情報が、バッテリー２０の装着の有無ごとに、記憶部１０２に記憶されている。そして、制御部１０１は、温度センサ３２によって検出された温度と、着脱検出部１０６によって検出されたバッテリー２０の装着の有無に対応する調整情報とに基づいて、温度に基づく制御を実行する。
【００５７】
なお、設置形態およびバッテリーの有無以外に温度センサ２４、３２の検出温度を変動させる要因があれば、さらにこの要因を加味した調整情報が追加されてもよい。
【００５８】
以下、記憶部１０２に記憶された調整情報の内容と、当該調整情報を用いた制御部１０１による制御について説明する。
【００５９】
図８（ａ）は、バッテリー２０の充放電以外の制御において、調整情報および温度センサを特定する規則を表したテーブルである。本実施形態では、バッテリー２０の充放電以外の制御として、装置内部の温度が異常に高温となった場合にシステム動作を停止させる制御（以下、「異常温度監視制御」という）が想定されている。
【００６０】
図８（ａ）のテーブルにおいて、「バッテリー」の項目は、情報端末装置１にバッテリー２０が装着されている場合に「あり」とされ、情報端末装置１にバッテリー２０が装着されていない場合に「なし」とされる。「設置形態」の項目は、情報端末装置１の設置形態が縦設置である場合に「縦」とされ、情報端末装置１の設置形態が横設置である場合に「横」とされ、情報端末装置１の設置形態が特に条件とされない場合に「縦or横」とされる。「接続状態」の項目は、バッテリー２０が回路基板３０側の回路部から切断されているか否かが規定される。バッテリー２０が装着されていない場合、「接続状態」の項目は、「−−−」とされる。
【００６１】
「調整情報番号」の項目には、制御に用いる調整情報を特定する番号が示されている。「温度センサ」の項目は、制御に用いる温度を本体側の回路基板３０に配置された温度センサ３２から取得する場合に「本体側」とされ、制御に用いる温度をバッテリー２０の回路基板２２に配置された温度センサ２４から取得する場合に「バッテリー側」とされる。
【００６２】
たとえば、図８（ａ）のテーブルにおいて、情報端末装置１にバッテリー２０が装着されていない場合、テーブルの最上段の行の規則により、調整情報番号１の調整情報が制御に用いられる。この場合、本体側の温度センサ３２により検出された温度が制御に用いられる。
【００６３】
また、図８（ａ）のテーブルにおいて、情報端末装置１にバッテリー２０が装着されており、バッテリー２０が電気的に接続され、且つ、情報端末装置１の設置形態が縦設置である場合、テーブルの上から３番目の行に割り当てられた調整情報番号３の調整情報が制御に用いられる。この場合、バッテリー側の温度センサ２４により検出された温度が制御に用いられる。
【００６４】
なお、本体側の温度センサ３２は、熱源である電源供給部１０４の近くに配置されているため、設置形態が異なったとしても、検出温度が大きく変動することがない。また、異常温度監視制御は、温度異常によりシステム制御を停止させることを目的とするため、設置形態の相違に基づく温度変動が小さい温度センサ３２を用いる場合は、検出温度が低くなり得る設置形態を想定して温度異常を判定すれば足りる。このため、図８（ａ）の上から１番目、２番目の規則では、設置形態に拘わらず、バッテリー２０の装着の有無のみによって、調整情報番号が特定されている。
【００６５】
図８（ｂ）は、バッテリー２０の充放電制御において、調整情報を特定する規則を表したテーブルである。なお、バッテリー２０の充放電制御においては、バッテリー２０に設置された温度センサ２４による検出温度が制御に用いられる。
【００６６】
図８（ｂ）のテーブルにおいて、「設置形態」の項目は、図８（ａ）のテーブルと同様、情報端末装置１の設置形態を示している。また、図８（ｂ）のテーブルにおいて、「調整情報番号」の項目は、充電制御または放電制御に用いる調整情報を特定する番号が示されている。さらに、「充放電」の項目は、制御の内容が放電である場合に「放電」とされ、制御の内容が充電である場合に「充電」とされる。
【００６７】
たとえば、図８（ｂ）のテーブルにおいて、情報端末装置１の設置形態が縦設置であり、制御内容が放電である場合、テーブルの最上段の行に割り当てられた調整情報番号５の調整情報が制御に用いられる。
【００６８】
図８（ｃ）は、調整情報の具体的内容を示す図である。
【００６９】
本実施形態では、各調整情報番号に、３つの閾値Ｔｄ１、Ｔｄ２、Ｔｄ３が割り当てられている。閾値Ｔｄ１は、バッテリー２０に対して充電を行う場合の上限温度であり、閾値Ｔｄ２は、バッテリー２０に対して放電を行う場合の上限温度である。閾値Ｔｄ３は、バッテリー２０に対する充電および放電以外の制御において参照される上限温度である。上記のように、本実施形態では、充放電以外の制御として、異常温度監視制御が想定されている。したがって、閾値Ｔｄ３は、異常温度監視制御において用いられる閾値である。閾値Ｔｄ１、Ｔｄ２、Ｔｄ３は、Ｔｄ１＜Ｔｄ２＜Ｔｄ３の関係にある。
【００７０】
閾値Ｔｄ１、Ｔｄ２、Ｔｄ３は、それぞれ、設置形態やバッテリー２０の有無により温度センサ２４、３２の検出温度に生じる変動を、対応する制御において抑制するように規定されている。
【００７１】
たとえば、閾値Ｔｄ１は、バッテリー２０の温度が閾値Ｔｄ１を超える範囲では充電を停止させてバッテリー２０を保護するための閾値温度である。この場合、バッテリー２０に配置された温度センサ２４の検出温度が閾値Ｔｄ１と比較される。
【００７２】
しかしながら、図７（ａ）、（ｂ）を参照して説明したとおり、温度センサ２４の検出温度は、情報端末装置１の設置形態に応じて変動する。具体的には、バッテリー２０自体の温度が同じであっても、横設置の方が縦設置に比べて温度センサ２４の検出温度が高くなる。このため、縦設置を想定して閾値Ｔｄ１が設定されると、横設置で情報端末装置１に充電制御が行われた場合に、バッテリー２０自体の温度は閾値Ｔｄ１に到達していないにも拘わらず、温度センサ２４の検出温度が閾値Ｔｄ１に到達することが起こり得る。この場合、バッテリー２０自体の温度は閾値Ｔｄ１に到達していないにも拘わらず、バッテリー２０に対する充電が停止されてしまう。
【００７３】
このような問題を解消するため、図８（ｃ）のテーブルにおいて、横設置の場合に閾値Ｔｄ１として適用される値α８は、横設置における充電制御において、バッテリー２０自体の温度が本来の閾値温度に到達したときに温度センサ２４によって検出される温度に設定される。すなわち、充電制御において、横設置と閾値Ｔｄ１との間の相関が保たれるように、α６が設定される。
【００７４】
図８（ｃ）に示した他の値も、対応する制御において、設置形態またはバッテリー２０の装着の有無と各閾値との間の相関が保たれるように設定される。たとえば、上から６番目の行に割り当てられたα６は、縦設置における充電制御において、バッテリー２０自体の温度が本来の閾値温度に到達したときに温度センサ２４によって検出される温度に設定される。また、最上段の行に割り当てられたγ１は、バッテリー２０が未装着の状態における充放電以外の制御（本実施形態では異常温度監視制御）において、装置内部の温度が本来の閾値温度に到達したときに温度センサ３２によって検出される温度に設定される。
【００７５】
なお、図８（ｃ）の例では、調整情報として、閾値Ｔｄ１、Ｔｄ２、Ｔｄ３に適用される値そのものが各閾値の欄に割り当てられたが、設置形態またはバッテリーの装着の有無に応じて基準の閾値を補正するための補正値（たとえば、基準の閾値に乗する係数）が、図８（ｃ）のテーブルの各閾値の欄に割り当てられてもよい。この場合、各欄の補正値を基準の閾値に適用することによって、閾値Ｔｄ１、Ｔｄ２、Ｔｄ３が算出される。
【００７６】
なお、温度センサ２４、３２における温度の変動は、図７（ａ）、（ｂ）に示した空気の対流以外に、輻射や熱伝導、装置内部の熱容量等の要素によっても起こり得る。よって、図８（ｃ）に示した調整情報テーブル中の各値は、これらの要素を総合的に勘案して設定される。
【００７７】
次に、図８（ｃ）に示した調整情報を用いて実行される各種制御について説明する。これらの制御は、図６に示した制御部１０１によって行われる。
【００７８】
図９は、充電制御を示すフローチャートである。充電制御では、バッテリー２０に配置された温度センサ２４によって検出された温度が用いられる。
【００７９】
充電制御において、制御部１０１は、着脱検出部１０６から取得した検出結果に基づいて、情報端末装置１にバッテリー２０が装着されているか否かを判定する（Ｓ１１）。バッテリー２０が装着されていない場合（Ｓ１１：ＮＯ）、制御部１０１は、充放電制御部１０５による充電動作を停止させて（Ｓ１８）、処理を終了する。バッテリー２０が装着されている場合（Ｓ１１：ＹＥＳ）、制御部１０１は、設置検出部１０７から取得した検出結果に基づいて、情報端末装置１の設置形態が縦設置と横設置の何れであるかを判定する（Ｓ１２）。
【００８０】
こうして設置形態を判定した後、制御部１０１は、記憶部１０２に記憶されている調整情報テーブル（図８（ｃ）参照）から、設置形態に対応する値を取得し、取得した値を閾値Ｔｄ１に設定する（Ｓ１３）。ここでは、制御の内容が充電制御であるため、図８（ｃ）のα６、α８のうち設置形態に対応する値が、閾値Ｔｄ１に設定される。
【００８１】
その後、制御部１０１は、設定した閾値Ｔｄ１と、温度センサ２４によって検出された温度Ｔｄとを比較する（Ｓ１４）。そして、制御部１０１は、温度Ｔｄが閾値Ｔｄ１よりも小さい場合に（Ｓ１４：ＹＥＳ）、充放電制御部１０５に充電動作を実行させる（Ｓ１５）。その後、制御部１０１は、充電開始からの経過時間が所定の閾値Ｔｃ１を超えるか（Ｓ１６：ＮＯ）、あるいは、バッテリー２０が満充電に達するまで（Ｓ１７：ＹＥＳ）、充放電制御部１０５に充電動作を継続させる。ステップＳ１７において、制御部１０１は、バッテリー２０に対する充電電圧および充電電流を参照することにより、バッテリー２０が満充電状態に到達したかを判定する。
【００８２】
ステップＳ１６の判定がＹＥＳで、且つ、ステップＳ１７の判定がＮＯの場合、制御部１０１は、処理をステップＳ１１に戻して、同様の処理を実行する。ここで、情報端末装置１の設置形態が変わらなければ、閾値Ｔｄ１の設定値がそのまま維持される（Ｓ１２、Ｓ１３）。
【００８３】
こうして充電制御を継続する間に、温度センサ２４による検出温度Ｔｄが閾値Ｔｄ１以上になると（Ｓ１４：ＮＯ）、制御部１０１は、充放電制御部１０５による充電動作を停止させる（Ｓ１８）。また、充電開始からの経過時間が閾値Ｔｃ１に到達した場合（Ｓ１６：ＮＯ）またはバッテリー２０が満充電に到達した場合（Ｓ１７：ＹＥＳ）も、制御部１０１は、充放電制御部１０５による充電動作を停止させる（Ｓ１８）。こうして、充電制御が終了する。
【００８４】
図１０は、放電制御を示すフローチャートである。放電制御では、バッテリー２０に配置された温度センサ２４によって検出された温度が用いられる。なお、放電制御とは、バッテリー２０に蓄積された電力を各部に供給する制御のことである。
【００８５】
放電制御において、制御部１０１は、着脱検出部１０６から取得した検出結果に基づいて、情報端末装置１にバッテリー２０が装着されているか否かを判定する（Ｓ２１）。バッテリー２０が装着されていない場合（Ｓ２１：ＮＯ）、制御部１０１は、充放電制御部１０５による放電動作を停止させて（Ｓ２７）、処理を終了する。バッテリー２０が装着されている場合（Ｓ２１：ＹＥＳ）、制御部１０１は、設置検出部１０７から取得した検出結果に基づいて、情報端末装置１の設置形態が縦設置と横設置の何れであるかを判定する（Ｓ２２）。
【００８６】
こうして設置形態を判定した後、制御部１０１は、記憶部１０２に記憶されている調整情報テーブル（図８（ｃ）参照）から、設置形態に対応する値を取得し、取得した値を閾値Ｔｄ２に設定する（Ｓ１３）。ここでは、制御の内容が放電制御であるため、図８（ｃ）のβ５、β７のうち設置形態に対応する値が、閾値Ｔｄ２に設定される。
【００８７】
その後、制御部１０１は、設定した閾値Ｔｄ２と、温度センサ２４によって検出された温度Ｔｄとを比較する（Ｓ２４）。そして、制御部１０１は、温度Ｔｄが閾値Ｔｄ２よりも小さい場合に（Ｓ２４：ＹＥＳ）、充放電制御部１０５に放電動作を実行させる（Ｓ２５）。その後、制御部１０１は、バッテリー２０の電力蓄積状態がエンプティレベル（電力不足のレベル）に到達するまで（Ｓ２６：ＹＥＳ）、充放電制御部１０５に放電動作を継続させる。ステップＳ２６において、制御部１０１は、バッテリー２０からの放電電圧および放電電流を参照することにより、バッテリー２０の電力蓄積状態がエンプティレベルに到達したかを判定する。
【００８８】
ステップＳ２６の判定がＮＯの場合、制御部１０１は、処理をステップＳ２１に戻して、同様の処理を実行する。ここで、情報端末装置１の設置形態が変わらなければ、閾値Ｔｄ２の設定値がそのまま維持される（Ｓ２２、Ｓ２３）。
【００８９】
こうして充電制御を継続する間に、温度センサ２４による検出温度Ｔｄが閾値Ｔｄ２以上になると（Ｓ２４：ＮＯ）、制御部１０１は、充放電制御部１０５による放電動作を停止させる（Ｓ２７）。また、バッテリー２０の電力蓄積状態がエンプティレベルに到達した場合（Ｓ２６：ＹＥＳ）も、制御部１０１は、充放電制御部１０５による放電動作を停止させる（Ｓ２７）。こうして、放電制御が終了する。
【００９０】
図１１は、異常温度監視制御を示すフローチャートである。図８（ａ）に示したように、異常温度監視制御では、バッテリー２０に配置された温度センサ２４および装置本体側に配置された温度センサ３２の何れかによって検出された温度が用いられる。
【００９１】
異常温度監視制御において、制御部１０１は、着脱検出部１０６から取得した検出結果に基づいて、情報端末装置１にバッテリー２０が装着されているか否かを判定する（Ｓ３１）。
【００９２】
バッテリー２０が装着されていない場合（Ｓ３１：ＮＯ）、制御部１０１は、調整情報テーブル（図８（ｃ）参照）から、バッテリー２０が未装着である場合の値を取得し、取得した値を閾値Ｔｄ３に設定する（Ｓ３４）。ここでは、図８（ａ）の最上段の行の規則に該当するため、調整情報番号１のγ１が閾値Ｔｄ３に設定される。
【００９３】
バッテリー２０が装着されている場合（Ｓ３１：ＹＥＳ）、制御部１０１は、バッテリー２０が本体側の回路部から電気的に切断された状態にあるかを判定する（Ｓ３２）。バッテリー２０が電気的に切断された状態ある場合（Ｓ３２：ＹＥＳ）、制御部１０１は、調整情報テーブル（図８（ｃ）参照）から、バッテリー２０が装着状態であり、且つ、電気的に切断された状態にある場合の値を取得し、取得した値を閾値Ｔｄ３に設定する（Ｓ３４）。この状態は、図８（ａ）の上から２番目の行の規則に該当するため、調整情報番号２のγ２が閾値Ｔｄ３に設定される。
【００９４】
バッテリー２０が電気的に切断された状態にない場合（Ｓ３２：ＮＯ）、制御部１０１は、設置検出部１０７から取得した検出結果に基づいて、情報端末装置１の設置形態が縦設置と横設置の何れであるかを判定する（Ｓ３３）。そして、制御部１０１は、判定した設置形態に対応する値を、記憶部１０２に記憶されている調整情報テーブル（図８（ｃ）参照）から取得し、取得した値を閾値Ｔｄ３に設定する（Ｓ３４）。この状態は図８（ａ）の上から３番目または４番目の行の規則に該当するため、図８（ｂ）のγ３、γ４のうち設置形態に対応する値が、閾値Ｔｄ２に設定される。
【００９５】
さらに、制御部１０１は、バッテリー２０の装着の有無および電気的接続の有無に基づき、制御に用いる温度センサを選択する（Ｓ３５）。すなわち、バッテリー２０が装着されていない場合、または、バッテリー２０が装着されているが電気的に接続されていない場合、制御部１０１は、図８（ａ）の最上段または上から２番目の規則に従い、装置本体側の温度センサ３２を制御に用いる温度センサとして選択する。また、バッテリー２０が装着されており電気的に接続されている場合、制御部１０１は、図８（ａ）の上から３番目または４番目の規則に従い、バッテリー２０側の温度センサ２４を制御に用いる温度センサとして選択する。
【００９６】
その後、制御部１０１は、設定した閾値Ｔｄ３と、選択した温度センサによって検出された温度Ｔｄとを比較する（Ｓ３６）。そして、制御部１０１は、温度Ｔｄが閾値Ｔｄ３以上となった場合に（Ｓ３６：ＹＥＳ）、情報端末装置１全体のシステム動作を停止させる（Ｓ３７）。
【００９７】
＜実施形態の効果＞
上記実施形態によれば、以下の効果が奏され得る。
【００９８】
装置本体の形態（設置形態およびバッテリーの装着の有無）に対応する調整情報を用いて、温度に基づく制御（充電制御、放電制御および異常温度監視制御）が行われるため、装置本体の形態間で温度センサ２４、３２の検出温度が変動する場合も、制御を精度良くに行うことができる。よって、装置の形態に拘わらず温度による制御を高精度に行うことができる。
【００９９】
また、図９〜図１１に示したように、温度に基づく制御においては、着脱検出部１０６および設置検出部１０７により検出された情報端末装置１の形態に対応する調整情報に基づいて、閾値Ｔｄ１、Ｔｄ２、Ｔｄ３が設定される。このように閾値Ｔｄ１、Ｔｄ２、Ｔｄ３の方を調整することにより、温度センサ２４、３２によって検出された温度を、その都度、補正する必要がないため、制御の処理を簡素化することができる。
【０１００】
また、図９および図１０に示した充電制御および放電制御においては、温度センサ２４によって検出された温度と、設置検出部１０７により検出された設置形態に対応する調整情報とに基づいて、制御が実行される。これにより、図７（ａ）、（ｂ）を参照して説明したように、装置本体の設置形態間で温度センサ２４の検出温度が変動する場合も、充電制御および放電制御を精度良くに行うことができる。よって、装置の形態に拘わらず充電制御および放電制御を高精度に行うことができる。
【０１０１】
なお、一般に、バッテリー２０を適正に動作させ得る温度範囲は狭いため、バッテリー２０に対する充電制御および放電制御においても、厳格な温度管理が要求される。上記実施形態では、情報端末装置１の設置形態に対応する調整情報に基づいて温度変動を補償しつつ、充電制御および放電制御が行われるため、これらの制御を安全かつ適正に行うことができる。
【０１０２】
また、図１１に示した異常温度監視制御においては、温度センサ２４、３２によって検出された温度と、着脱検出部１０６により検出されたバッテリー２０の装着の有無に対応する調整情報とに基づいて、制御が実行される。一般に、装置本体の容積に占めるバッテリー２０の容積は大きいため、バッテリー２０が装置本体から取り外されると、装置本体内部における空気の対流や熱容量および熱伝導等が大きく変化する。このため、バッテリー２０が装着状態にあるときと未装着状態にあるときとで、温度センサ２４、３２の検出温度に大きな変動が生じ得る。したがって、上記のように、バッテリー２０の装着の有無ごとに調整情報を準備し、この調整情報に基づいて、異常温度監視制御を実行することにより、バッテリーの装着の有無に拘わらず、異常温度監視制御を適切かつ高精度に行うことができる。
【０１０３】
なお、本実施形態では、バッテリー２０に設置された温度センサ２４の他に、装置本体側に温度センサ３２が配置されているため、バッテリー２０が未装着の形態においても、異常温度監視制御を適切に行うことができる。
【０１０４】
＜変更例＞
以上、本発明の実施形態について説明したが、本発明は上記実施形態に何ら制限されるものではない。
【０１０５】
たとえば、上記実施形態では、調整情報によって閾値Ｔｄ１〜Ｔｄ３が調整されたが、温度センサ２４、３２の検出温度が調整情報によって調整されてもよい。この場合、図８（ｃ）の調整情報に代えて、たとえば、図１２（ａ）または図１２（ｂ）の調整情報が用いられる。
【０１０６】
図１２（ａ）の変更例では、温度センサ２４、３２による検出温度が補正関数により補正される。補正関数ｆａ６、ｆａ８は、それぞれ、充電制御において、情報端末装置１が縦設置および横設置された場合の補正関数である。また、補正関数ｆｂ５、ｆｂ７は、それぞれ、放電制御において、情報端末装置１が縦設置および横設置された場合の補正関数である。これらの補正関数は、縦設置と横設置との間で温度センサ２４の検出温度に生じる変動を抑制するように、縦設置と横設置の各設置形態において温度センサ２４の検出温度を補正する。
【０１０７】
また、補正関数ｆｃ１、ｆｃ２は、それぞれ、異常温度監視制御において、バッテリー２０が離脱および装着された場合に、本体側の温度センサ３２による検出温度を補正するための補正関数である。これらの補正関数は、バッテリー２０の着脱により温度センサ３２の検出温度に生じる変動を抑制するように、バッテリー２０の着脱ごとに温度センサ３２の検出温度を補正する。
【０１０８】
また、補正関数ｆｃ３、ｆｃ４は、それぞれ、異常温度監視制御において、バッテリー２０が装着状態かつ接続状態にある場合に、バッテリー２０側の温度センサ２４による検出温度を、設置形態に応じて補正するための補正関数である。これらの補正関数は、情報端末装置１の設置形態により温度センサ３２の検出温度に生じる変動を抑制するように、設置形態ごとに温度センサ３２の検出温度を補正する。
【０１０９】
図１２（ａ）の変更例では、図９〜図１１の各制御において、閾値Ｔｄ１〜Ｔｄ３は固定とされ、検出温度Ｔｄの方が、対応する補正関数によって補正される。たとえば、図９の充電制御では、ステップＳ１３において、検出温度Ｔｄを補正するための補正関数Ｆ１が、設置形態に対応する補正関数（図１２（ａ）の補正関数ｆａ６、ｆａ８の何れか）に設定され、この補正関数Ｆ１によって検出温度Ｔｄが補正される。そして、ステップＳ１４において、補正後の検出温度Ｔｄが閾値Ｔｄ１と比較され、補正後の検出温度Ｔｄが閾値Ｔｄ１以上である場合に、ステップＳ１８において、充電制御が停止される。
【０１１０】
図１０の放電制御と図１１の異常温度監視制御についても同様に、情報端末装置１の形態に応じて、補正関数Ｆ２、Ｆ３が、図１２（ａ）の補正関数から設定され、設定された補正関数Ｆ２、Ｆ３に基づいて検出温度Ｔｄが補正される。そして、補正後の検出温度Ｔｄが閾値Ｔｄ２、Ｔｄ３と比較されて、放電制御の中止またはシステム動作の停止が行われる。
【０１１１】
図１２（ｂ）の変更例では、補正関数に代えて、検出温度と補正後の温度を対応付けた補正テーブルｔａ６〜ｔｃ４が、各調整情報番号に割り当てられる。補正テーブルｔａ６〜ｔｃ４は、図１２（ａ）の補正関数と同様の補正を実現するよう構成される。この変更例では、補正テーブルｔａ６〜ｔｃ４によって検出温度Ｔｄが補正され、補正後の検出温度が、閾値Ｔｄ１〜Ｔｄ３と比較される。
【０１１２】
また、上記実施形態では、温度センサ２４、３２によって検出される温度の変動要因となる装置本体の形態として、情報端末装置１の設置形態（縦設置、横設置）と、バッテリー２０の装着の有無が示されたが、これら以外の形態がさらに含まれてもよい。また、情報端末装置１の設置形態は、必ずしも、縦設置と横設置に限られるものではなく、温度センサ２４によって検出される温度の変動要因となる設置形態であれば、どのような設置形態であってもよい。
【０１１３】
また、上記実施形態では、バッテリー２０の充放電以外の制御として、異常温度監視制御を示したが、温度に基づく制御は、これ以外の制御であってもよい。たとえば、温度に対して脆弱な部品が回路基板３０に設置されている場合に、この部品を保護するための制御が、温度センサ２４または温度センサ３２の検出温度と、この部品に対応する調整情報とに基づいて実行されるようにしてもよい。
【０１１４】
たとえば、電解コンデンサは温度が高くなると故障率が高くなる。よって、回路基板３０に電解コンデンサが設置されている場合は、温度センサ２４または温度センサ３２の検出温度と調整情報とに基づいて、電解コンデンサを保護するための制御が実行されればよい。この他、携帯端末装置１の使用時に、人体が直接触れる部分の温度管理（低温やけど防止等）を温度センサ２４または温度センサ３２の検出温度と調整情報とに基づいて行うようにしてもよい。
【０１１５】
また、上記実施形態では、バッテリー２０の温度を検出するための温度センサ２４がバッテリー２０の内部に設置されたが、バッテリー２０の温度を検出するための温度センサを、本体側の回路基板３０上のバッテリー２０に近接する位置に設けてもよい。この場合、温度センサ３２は、省略してもよい。
【０１１６】
また、上記実施形態では、異常温度監視制御において、温度の検出に用いる温度センサが、温度センサ２４、３２間で切り替えられたが、温度センサ３２のみを用いて異常温度監視制御が行われてもよい。この場合、図８（ａ）の上から３番目、４番目の規則が省略され、図１１のステップＳ３２、Ｓ３３、Ｓ３５が省略される。そして、ステップＳ３４においては、図８（ｃ）のγ１、γ２のうち、バッテリー２０の装着の有無に対応する値が閾値Ｔｄ３に設定される。
【０１１７】
また、上記実施形態では、充電制御、放電制御および異常温度監視制御において上限温度の閾値Ｔｄ１、Ｔｄ２、Ｔｄ３のみが設定されたが、これら閾値Ｔｄ１、Ｔｄ２、Ｔｄ３とともに、各制御において下限温度の閾値が設定されてもよい。この場合、図８（ｃ）の調整情報テーブルに、下限温度の閾値が追加される。また、図９〜図１１の制御において、設置形態およびバッテリーの装着の有無に応じて、調整情報テーブルに基づき、上限温度の閾値Ｔｄ１、Ｔｄ２、Ｔｄ３とともに下限温度の閾値が設定される。そして、各制御では、設定された上限の閾値と下限の閾値との間の範囲から検出温度Ｔｄが外れた場合に、充電停止、放電停止またはシステム停止の処理が実行される。
【０１１８】
また、上記実施形態では、入力手段としてタッチパッド１３ｂを用いたが、電磁式のデジタイザペンとデジタイザセンサを入力手段として用いてもよい。また、脚部１２の構成および配置位置や、バッテリー２０の構成および配置位置等も、適宜、変更可能である。
【０１１９】
この他、本発明の実施形態は、特許請求の範囲に示された技術的思想の範囲内において、適宜、種々の変更が可能である。
【符号の説明】
【０１２０】
１  情報端末装置
２０  バッテリー
２４、３２  温度センサ
１０１  制御部
１０２  記憶部
１０６  着脱検出部（形態検出部）
１０７  設置検出部（形態検出部）
【図１】
2019003373.tif 000003
【図２】
2019003373.tif 000004
【図３】
2019003373.tif 000005
【図４】
2019003373.tif 000006
【図５】
2019003373.tif 000007
【図６】
2019003373.tif 000008
【図７】
2019003373.tif 000009
【図８】
2019003373.tif 000010
【図９】
2019003373.tif 000011
【図１０】
2019003373.tif 000012
【図１１】
2019003373.tif 000013
【図１２】
2019003373.tif 000014